(57)【要約】      （修正有）【課題】商品を陳列した状態の什器に対して着脱が容易で、かつ耐荷重性に富んだ什器移動用キャスターを提供する。【解決手段】商品が陳列された什器を載置する本体部と、本体部に取り付けられたキャスター２とを備え、本体部の一端から他端に渡って、什器の足を挿入する凹溝部３が床から近接する高さに設けられている。本体部は、屈曲加工されて中央部分が凹んだ土台プレート１１と、屈曲加工されて略垂直に折れたＬ字状プレート１２とで構成され、土台プレートは、平坦部１１ａと、平坦部の内側の端部と連接している傾斜部１１ｂと、平坦部より低い位置で傾斜部の内側の端部と連接している凹溝底部１１ｃとを有し、Ｌ字状プレートの各々は、短板部１２ａと、短板部より水平長が大きい長板部１２ｂとを有し、土台プレートの凹溝底部とＬ字状プレートの各々の短板部とで凹溝部３を形成している。【選択図】図１
0003205481.tif 000002
【実用新案登録請求の範囲】
【請求項１】
商品が陳列された什器を載置する本体部と、当該本体部に取り付けられたキャスターとを備え、
前記本体部の一端から他端に渡って、前記什器の足を挿入する凹溝部が床から近接する高さに設けられている
ことを特徴とする什器移動用キャスター。
【請求項２】
前記本体部は、屈曲加工されて中央部分が凹んだ土台プレートと、屈曲加工されて略垂直に折れた一対のＬ字状プレートとで構成され、
前記土台プレートは、上記中央部分の両脇に位置する平坦部と、当該平坦部の内側の端部と連接している傾斜部と、当該平坦部より低い位置で当該傾斜部の内側の端部と連接している凹溝底部とを有し、
前記Ｌ字状プレートの各々は、短板部と、当該短板部より水平長が大きい長板部とを有し、
前記土台プレートの凹溝底部と前記Ｌ字状プレートの各々の短板部とで前記凹溝部を形成している
ことを特徴とする請求項１に記載の什器移動用キャスター。
【請求項３】
前記Ｌ字状プレートは、前記土台プレートより薄肉である
ことを特徴とする請求項１又は２に記載の什器移動用キャスター。
【請求項４】
前記土台プレートの前記傾斜部の角度は、１２０〜１５０°である
ことを特徴とする請求項１乃至３のいずれか一項に記載の什器移動用キャスター。
【請求項５】
前記土台プレートの前記凹溝底部の高さは、床から１５〜２０ｍｍである
ことを特徴とする請求項１乃至４のいずれか一項に記載の什器移動用キャスター。
【考案の詳細な説明】
【技術分野】
【０００１】
本考案は、例えばスーパーマーケットやドラッグストアーで採用されている商品陳列用の什器移動用キャスターに関し、さらに詳しくは、商品を陳列したまま什器を安全に移動する什器移動用キャスターに関するものである。
【背景技術】
【０００２】
従来から、スーパーマーケットやドラッグストアー等においては、什器に商品を陳列して販売している。一般的に、大型の什器には耐荷重性を考慮して移動用のキャスターがなく、商品の陳列後に什器を移動することは稀だった。また、移動前には、什器から商品を撤去していた。
【０００３】
一方、商品陳列用の什器に限らず、重量物の移動は容易でないため、たとえキャスターが付いていたとしても、手間がかかっていた。例えば、グランドピアノは高価なため、外装に疵が付かないよう慎重に移動しなければならず、時間がかかっていた。そこで、グランドピアノの脚の各々を補助キャスターに載置して移動する発想が提案されている（例えば特許文献１参照。）。詳細には、補助キャスターは、裏面に４つのキャスターを設けた板状の台座と、台座の上にグランドピアノのキャスターが入る凹所を有する受け部とで構成されている。
【先行技術文献】
【特許文献】
【０００４】
【特許文献１】特開平９−３２５７６２号公報
【考案の概要】
【考案が解決しようとする課題】
【０００５】
しかしながら、上述した従来技術では、台座の上に受け部が設けてあり、さらに受け部の側壁を越えなければ、グランドピアノのキャスターを凹所に入れることはできなかった。すなわち、従来技術の補助キャスターを用いるには、キャスター、台座及び受け部の合計の高さ以上にグランドピアノを持ち上げなくてはならず危険であり、手間もかかってしまう。
【０００６】
商品陳列用の什器においては、店内の内装を構成する大きな要素であり、来店者の購買意欲を向上させるには、商品の陳列のみならず、什器の配列も考慮すべきである。このため、キャスター無しの大型什器であっても、柔軟に配列を変更したいというニーズが高まってきている。
【０００７】
このようなニーズに鑑みると、従来技術の発想は、店舗の什器に採用するのは困難である。なぜなら、什器には商品が陳列されているため、必要以上に持ち上げたり傾けたりすると、商品の落下や什器の破損の恐れがあるからである。したがって、什器の移動用に適したキャスターとは、什器そのものを持ち上げる負担が極めて少ない上、陳列された商品を加えた什器全体の総重量に耐え得る強度が要求される。
【０００８】
そこで本考案の目的は、商品を陳列した状態の什器に対して着脱が容易で、かつ耐荷重性に富んだ什器移動用キャスターを提供することにある。
【課題を解決するための手段】
【０００９】
上記課題を解決するために、本考案による什器移動用キャスターは、商品が陳列された什器を載置する本体部と、上記本体部に取り付けられたキャスターとを備え、上記本体部の一端から他端に渡って、上記什器の足を挿入する凹溝部が床から近接する高さに設けられていることを特徴とする。
【００１０】
また、上記本体部は、屈曲加工されて中央部分が凹んだ土台プレートと、屈曲加工されて略垂直に折れた一対のＬ字状プレートとで構成され、上記土台プレートは、上記中央部分の両脇に位置する平坦部と、上記平坦部の内側の端部と連接している傾斜部と、上記平坦部より低い位置で上記傾斜部の内側の端部と連接している凹溝底部とを有し、上記Ｌ字状プレートの各々は、短板部と、上記短板部より水平長が大きい長板部とを有し、上記土台プレートの凹溝底部と上記Ｌ字状プレートの各々の短板部とで上記凹溝部を形成していることが望ましい。
【００１１】
また、上記Ｌ字状プレートは、上記土台プレートより薄肉であることが望ましい。これにより、所望の強度（剛性）を満たす１枚の鉄板では困難だった小さめの曲げ半径による屈曲加工も可能となり、本体部の小型化も実現する。
【００１２】
また、上記土台プレートの上記傾斜部の角度は、１２０〜１５０°であることが望ましい。これにより、所望の強度（剛性）を満たす大きめの曲率半径であっても、上記Ｌ字状プレートとの組み合わせにより所望の凹溝部を形成することができる。
【００１３】
また、上記土台プレートの上記凹溝底部の高さは、床から１５〜２０ｍｍであることが望ましい。これにより、什器を持ち上げる高さが低く、又は什器を傾ける角度が小さくても、什器の足を凹溝部に容易に挿入することができる。さらに、什器の足に付属の高さ調整用アジャスター等が床に接触することを回避することができる。
【００１４】
ここで、「商品が陳列された」とは、例えば、スーパーマーケット、ドラッグストアー、ホームセンター、又はコンビニエスストア内で商品が陳列されている状態が該当する。「什器」とは、例えば、商品陳列用のゴンドラや棚で、少なくとも自立用の足を備えているものでもよい。「本体部」は、１枚の鉄板でも２枚以上の鉄板を組み立てたものでもよい。
【００１５】
「屈曲加工」とは、例えば、プレス機による曲げ加工でもよい。「傾斜部」は、「平坦部」を基準にすると下方に傾斜しており、「凹溝底部」を基準にすると上方に傾斜しているものを示してもよい。
【００１６】
土台プレートの傾斜部の角度が「１２０〜１５０°」としたのは、１２０°未満だと屈曲部分の曲面積が大き過ぎて凹溝底部の幅が狭くなり所望の凹溝部を形成できず、１５０°を超えると土台プレートが平坦過ぎてＬ字状プレートの短板部の水平長が短くなり所望の凹溝部を形成できないからである。
【００１７】
土台プレートの凹溝底部の高さが床から「１５〜２０ｍｍ」としたのは、１５ｍｍ未満だと什器の足に付属の高さ調整用アジャスターが床に接してしまう恐れがあり、２０ｍｍを超えると本体部の位置が高すぎて什器を載置しにくいからである。
【考案の効果】
【００１８】
本考案による什器移動用キャスターは、本体部の凹溝部が床に近接しているため、この本体部の一端から他端に渡って什器の足を挿入し易く、商品を陳列したまま移動することができる。さらに、本体部が屈曲加工された土台プレートと一対のＬ字状プレートとで構成され、この土台プレートの凹溝底部とＬ字状プレートの各々の短板部とで凹溝部を形成することにより、各プレートの屈曲部分の曲面積が大きくなり過ぎず小型で、かつ陳列中の商品を含む什器の総重量に耐え得る強度を有する什器移動用キャスターが実現する。これにより、商品が陳列されたまま柔軟に什器の配列を変更することができる。
【図面の簡単な説明】
【００１９】
【図１】什器移動用キャスターの全体構成を示す斜視図である。
【図２】什器移動用キャスターの正面図である。
【考案を実施するための形態】
【００２０】
まず、図１及び図２を参照しつつ、本考案の一実施形態における什器移動用キャスターの概要を説明する。
【００２１】
図１及び図２に示すとおり、本実施形態における什器移動用キャスターは、商品が陳列された什器Ｇを載置する本体部１と、この本体部に取り付けられたキャスター２とを備え、この本体部の一端から他端に渡って、この什器の足を挿入する凹溝部３が床から近接する高さに設けられていてもよい。
【００２２】
また、本体部１は、屈曲加工されて中央部分が凹んだ土台プレート１１と、屈曲加工されて略垂直に折れたＬ字状プレート１２，１２とで構成され、この土台プレートは、中央部分の両脇に位置する平坦部１１ａ，１１ａと、この平坦部の内側の端部と連接している傾斜部１１ｂ，１１ｂと、この平坦部より低い位置でこの傾斜部の内側の端部と連接している凹溝底部１１ｃとを有し、このＬ字状プレートの各々は、短板部１２ａと、この短板部より水平長が大きい長板部１２ｂとを有し、この土台プレートの凹溝底部とＬ字状プレートの各々の短板部とで凹溝部３を形成してもよい。
【００２３】
また、Ｌ字状プレート１２は、土台プレート１１より薄肉であってもよい。
【００２４】
また、土台プレート１１の傾斜部１１ｂの角度Ｄは、１２０〜１５０°であってもよい。
【００２５】
また、土台プレート１１の凹溝底部１１ｃの高さＨは、床Ｆから１５〜２０ｍｍであってもよい。
【００２６】
次に、図１及び図２を参照しつつ、本実施形態における什器移動用キャスターの詳細を説明する。
【００２７】
本体部１は、平面視で略正方形状（一辺の長さが１８５ｍｍ程度）であり、裏面の四隅にそれぞれ一つずつキャスター２が取り付けられていてもよい。キャスター２は、所定の金具を介して本体部１と連結しており、この金具は、本体部１とネジで固定してあってもよい。凹溝部３は、本体部１の略中心に設けられてあり、この凹溝部を中心として対向するキャスター２の各々は等距離に設けてあってもよい。凹溝部３の幅は３２ｍｍ程度、深さは３２ｍｍ程度であってもよい。
なお、本体部１は、平面視で円形状でも長方形状でもよい。キャスター２の車輪（直径３６ｍｍ程度）は、所定の金具に対して３６０°回転可能であってもよい。凹溝部３の幅と深さは、什器Ｇとして最大のサイズにおける足が挿入自在であれば、いずれでもよい。
【００２８】
土台プレート１１は、平面視で長方形状の鉄板（厚み３ｍｍ程度）を、プレス機で曲げ加工したものであってもよい。平坦部１１ａの内側の端部と傾斜部１１ｂとが連接している部分、この傾斜部の内側の端部と凹溝底部１１ｃとが連接している部分は、所定の曲率半径にて屈曲加工されていてもよい。平坦部１１ａ又は凹溝底部１１ｃに対する傾斜部１１ｂの傾斜角Ｄは、１３５°程度でもよく、キャスター２の車輪が土台プレート１１の裏面に接しない角度があればいずれでもよい。床Ｆから凹溝底部１１ｃの裏面までの距離は、１８ｍｍ程度でもよい。平坦部１１ａの裏面から凹溝底部１１ｃの裏面までの距離は、３２ｍｍ程度でもよい。
なお、上述した各種寸法や角度は、これらに限定されることはない。
【００２９】
Ｌ字状プレート１２，１２は、平面視で長方形状の鉄板（厚み５ｍｍ程度）を、プレス機で曲げ加工したものであってもよい。長板部１２ｂに対する短板部１２ａの角度は、略９０°でもよい。短板部１２ａの水平長は、３２ｍｍ程度でもよい。
なお、上述した各種寸法や角度は、これらに限定されることはない。
【００３０】
Ｌ字状プレート１２の各々は、土台プレート１１の平坦部１１ａの各々に、長板部１２ｂを面して固定してあってもよい。このとき、双方の短板部１２ａは互いに向き合い、傾斜部１１ｂと凹溝底部１１ｃとが連接している部分付近の上方に位置してもよい。双方の短板部１２ａと凹溝底部１１ｃとで凹溝部３が形成されていてもよく、この双方の短板部の間隔が３２ｍｍでもよい。
なお、上述した各部材の位置関係や各種寸法は、これらに限定されることはない。
【００３１】
次に、図２を参照しつつ、本実施形態における什器移動用キャスターの使用状況を説明する。
【００３２】
まず、商品が陳列されている什器Ｇの足の先端を、土台プレート１１の凹溝底部１１ｃの高さ程度まで持ち上がる。次に、什器Ｇの足が本体部１の凹溝部３に載置するよう、この足の先端がこの凹溝部から突き出る状態までキャスター２でこの本体部をスライドさせる。什器Ｇの足の後端も同様に行う。そして、什器Ｇの足の本数に応じて同様に行うと、この什器が複数の什器移動用キャスターに載置された状態となる。
【００３３】
このとき、什器Ｇの足に付属の高さ調整用アジャスターは、凹溝底部１１ｃにも床Ｆにも接触しておらず、この什器の移動に問題はない。また、什器Ｇの足が細く凹溝部３との間に隙間が生じても、複数の什器移動用キャスターに安定して載置されているため、この什器の移動に問題はない。
【００３４】
移動が完了したら、什器移動用キャスターを外して、什器Ｇを床に載置する。
【００３５】
このように、本実施形態による什器移動用キャスターは、本体部１の凹溝部３が床Ｆに近接しているため、この本体部の一端から他端に渡って什器Ｇの足を挿入し易く、商品を陳列したまま移動することができる。さらに、本体部１が屈曲加工された土台プレート１１とＬ字状プレート１２，１２とで構成され、この土台プレートの凹溝底部１１ｃとＬ字状プレートの各々の短板部１２ａとで凹溝部３を形成することにより、各プレートの屈曲部分の曲面積が大きくなり過ぎず小型で、かつ陳列中の商品を含む什器の総重量に耐え得る強度を有する什器移動用キャスターが実現する。これにより、商品が陳列されたまま柔軟に什器Ｇの配列を変更することができる。
【産業上の利用可能性】
【００３６】
本考案における什器移動用キャスターは、小売業に限らず、例えば運送業における重量物の運搬、製造業における部品棚の移動等に関する産業に広く利用可能である。
【符号の説明】
【００３７】
１        本体部
１１      土台プレート
１１ａ    平坦部
１１ｂ    傾斜部
１１ｃ    凹溝底部
１２      Ｌ字状プレート
１２ａ    短板部
１２ｂ    長板部
２        キャスター
３        凹溝部
【図１】
0003205481.tif 000003
【図２】
0003205481.tif 000004